(57)【特許請求の範囲】
【請求項１】
乗場から昇降路に通じる出入口に設けられた上枠及び縦枠からなる出入口枠と、該出入口枠に隙間を隔てて配置され敷居に案内されて前記出入口枠の開口部を開閉する乗場扉を備えたエレベータにおいて、前記乗場扉の上部と側部と底部或いは前記乗場扉の上部と側部と底部に対向する対向部材の少なくとも一方には、煙の侵入を阻止する遮煙部材を備え、
前記遮煙部材は耐久性が高いものと低いものがあり、
前記遮煙部材は保持材へ一端を嵌合させて固定され、前記遮煙部材と前記保持材は各々一対の組合わせからなり、嵌合部の形状が前記耐久性の高い遮煙部材及び前記耐久性の高い遮煙部材と一対の保持材と、前記耐久性の低い遮煙部材及び前記耐久性の低い遮煙部材と一対の保持材とで異なり、前記耐久性の高い遮煙部材の嵌合部形状は、前記耐久性の低い遮煙部材と一対の保持材にも嵌合することができ、前記耐久性の低い遮煙部材の嵌合部形状は、前記耐久性の高い遮煙部材と一対の保持材には嵌合することができないことを特徴とした遮煙部材を備えた扉装置。
【請求項２】
前記耐久性が摺動に対する耐久性であることを特徴とする請求項１に記載の遮煙部材を備えた扉装置。
【請求項３】
前記摺動に対する耐久性が高い遮煙部材は摺動に対する耐久性を向上させる薬剤をコーティングしたことを特徴とする請求項２に記載の遮煙部材を備えた扉装置。
【請求項４】
前記摺動に対する耐久性が高い遮煙部材は摺動に対する耐久性が高い素材を材料としたことを特徴とする請求項２に記載の遮煙部材を備えた扉装置。
【請求項５】
前記保持材が押し出し材であることを特徴とする請求項１乃至４の何れかに記載の遮煙部材を備えた扉装置。
【発明の詳細な説明】
【技術分野】
【０００１】
本発明は遮煙機能を有する扉において、遮煙部材を取付ける際、誤った種類の遮煙部材を取付けることを防止し、加えて、取付け方向を誤らないように考えられた遮煙部材取付け構造を有する扉装置に関するものである。
【背景技術】
【０００２】
建物内に設置されるエレベータの乗場出入口の扉には、一般に引き戸が用いられ、円滑な開閉動作のために出入口三方枠、敷居、扉相互の間には隙間が設けられている。しかし、万一火災が発生した場合、この隙間から煙が出入することになり、建物内にいる人が煙にまかれてしまう危険があった。
【０００３】
そこで、例えば図１５に示すように、エレベータ用ドア装置下端部分に遮煙部材を備えた扉装置が提案されている。（文献１参照）
【０００４】
すなわち、扉１０の下端に敷居４の敷居溝４ａに嵌入するように遮煙部材１１を取付けて扉１０と敷居４との隙間を塞ぐものなどである。
【０００５】
また、例えば図１６に示すように、エレベータ用ドア装置上端部分に遮煙部材を備えた扉装置が提案されている。
【０００６】
扉１０の乗場側上端に保持材１０ｃを取付け、保持材１０ｃの溝に遮煙部材２０を嵌入してある。一方、出入口上枠３内部には、ブラケットを介して当て板２５が取付けてある。
【０００７】
前記遮煙部材２０と前記当て板２５は、出入口中心になるほど高くなるように、傾斜をつけて取付けられており、前記扉１０が開く時は前記遮煙部材２０と前記当て板２５は離れ、前記扉１０が閉まると前記遮煙部材２０と前記当て板２５が接触し、前記遮煙部材２０が圧縮されて、遮煙性能を得ている。
【先行技術文献】
【特許文献】
【０００８】
【特許文献１】特許第４２８００３２号公報
【発明の概要】
【発明が解決しようとする課題】
【０００９】
乗場から昇降路に通じる出入口に設けられた上枠及び縦枠からなる出入口枠と、該出入口枠に隙間を隔てて配置され敷居に案内されて前記出入口枠の開口部を開閉する乗場扉を備えたエレベータにおいて、前記乗場扉の上部と側部と底部或いは前記乗場扉の上部と側部と底部に対向する対向部材の少なくとも一方には、煙の侵入を阻止する遮煙部材を備え、前記遮煙部材を保持材（アルミシェープなど）等に取付けて固定する場合、遮煙部材は間口方向においては敷居等と摺動する為、摺動に対する耐久性が必要となり、例えば摺動に対する耐久性がある素材を使用したり、遮煙部材表面を摺動に対する耐久性を向上させる薬剤でコーティングする場合がある。
【００１０】
摺動に対する耐久性の必要となる部位とそうでない部位で、摺動に対する耐久性が高い遮煙部材と低い遮煙部材を使い分けしている場合に、摺動に対する耐久性の必要となる部位に、摺動に対する耐久性が低い遮煙部材を誤って取付けてしまうと、早期劣化の原因となる。
【００１１】
反対に摺動に対する耐久性が必要ない部位に摺動に対する耐久性が高い遮煙部材を取付けた場合は、遮煙部材が早期に劣化することはない。
【００１２】
このことから、すべて摺動に対する耐久性が高い遮煙部材を使用することも考えられるが、コストがかかってしまう。
【００１３】
また、摺動に対する耐久性の高低によって、遮煙部材及び保持材の取付け部分を異なった形状とし、取付け互換を無くすことによって、取付け誤りの問題を解決することも考えられるが、前記のように完全に互換性を無くすと、緊急の交換時にすべての遮煙部材を用意することが必要となり、不都合である。
【００１４】
さらに、遮煙部材に取付けの方向性があるが、遮煙部材を誤った方向へも取付け可能な場合、誤った方向に取付けてしまうと、遮煙性能を十分発揮することができない。
【００１５】
図１４（Ａ）に示すように、正常な方向で遮煙部材１１ａを取付ければ、前記遮煙部材１１ａの先端が前記敷居４の前記敷居溝４ａの側壁に接し、遮煙性能を発揮するが、図１４（Ｂ）に示すように、取付け方向を誤って取付けると、二点鎖線円ａに示すように、前記遮煙部材１１ａの先端が前記敷居溝４ａの側壁から離れ、遮煙性能を十分に発揮できないという問題があった。
【課題を解決するための手段】
【００１６】
この発明に係る遮煙部材を備えた扉装置は、乗場から昇降路に通じる出入口に設けられた上枠及び縦枠からなる出入口枠と、該出入口枠に隙間を隔てて配置され敷居に案内されて前記出入口枠の開口部を開閉する乗場扉を備えたエレベータにおいて、前記乗場扉の上部と側部と底部或いは前記乗場扉の上部と側部と底部に対向する対向部材の少なくとも一方には、煙の侵入を阻止する遮煙部材を備え、
前記遮煙部材は耐久性が高いものと低いものがあり、
前記遮煙部材は保持材へ一端を嵌合させて固定され、前記遮煙部材と前記保持材は各々一対の組合わせからなり、嵌合部の形状が前記耐久性の高い遮煙部材及び前記耐久性の高い遮煙部材と一対の保持材と、前記耐久性の低い遮煙部材及び前記耐久性の低い遮煙部材と一対の保持材とで異なり、前記耐久性の高い遮煙部材の嵌合部形状は、前記耐久性の低い遮煙部材と一対の保持材にも嵌合することができ、前記耐久性の低い遮煙部材の嵌合部形状は、前記耐久性の高い遮煙部材と一対の保持材には嵌合することができないこととするものである。
【００１７】
また、前記耐久性が摺動に対する耐久性であることとする。また、前記摺動に対する耐久性が高い遮煙部材は摺動に対する耐久性を向上させる薬剤をコーティングするものとする、あるいは前記摺動に対する耐久性が高い遮煙部材は摺動に対する耐久性が高い素材を材料とする。また、前記保持材が押し出し材であることとする。
【発明の効果】
【００１８】
以上に述べたように本発明によれば、摺動に対する耐久性の低い（例えば、摺動に対する耐久性が低い素材を使用した場合や摺動に対する耐久性を向上させる薬剤のコーティングをしていない等）遮煙部材を摺動に対する耐久性が必要な部位に誤って取付け、早期劣化することを防ぐことができ、さらに、緊急の交換時に摺動に対する耐久性が高い遮煙部材のみを準備すれば交換対応することができる遮煙部材を備えた扉装置を得ることができる。
【００１９】
また、本発明によれば、取付けに方向性のある遮煙部材が取付け方向を誤って取付けられることを防ぐことができ、気密性能を十分発揮することができないという不具合を防止することができる。
【図面の簡単な説明】
【００２０】
【図１】本発明に係るエレベータ用ドア装置を裏面から見た図である。
【図２】本発明に係るドア装置下部の図１におけるＡ−Ａ線矢視図
【図３】本発明に係るドア装置上部の図１におけるＢ−Ｂ線矢視図
【図４】本発明に係るドア装置上部の図１におけるＣ−Ｃ線矢視図
【図５】本発明に係るドア装置上部の図１におけるＤ−Ｄ線矢視図
【図６】実施例１における正しい組合わせの保持材と遮煙部材の嵌合部拡大図
【図７】実施例１における正しい組合わせの保持材と遮煙部材の嵌合部拡大図
【図８】実施例１における誤った組合わせ保持材と遮煙部材の嵌合部拡大図
【図９】実施例１における誤った組合わせ保持材と遮煙部材の嵌合部拡大図
【図１０】実施例２における正しい組合わせの保持材と遮煙部材の嵌合部拡大図
【図１１】実施例２における正しい組合わせの保持材と遮煙部材の嵌合部拡大図
【図１２】実施例２における誤った組合わせ保持材と遮煙部材の嵌合部拡大図
【図１３】実施例２における誤った組合わせ保持材と遮煙部材の嵌合部拡大図
【図１４】従来技術による正しい方向と誤った方向に取付けた場合の敷居部分拡大図
【図１５】従来技術による乗場扉下端部分の遮煙構造
【図１６】従来技術による乗場扉上端部分の遮煙構造
【図１７】実施例４における目印を利用して正しい方向に取付けた場合の敷居部分拡大図
【図１８】実施例４における目印を押し出し材の断面凹形状とした場合の敷居部分拡大図
【発明を実施するための形態】
【００２１】
以下、本発明の実施例について図面を用いて説明する。
図２は、本発明に係るエレベータ用ドア装置下端部分の一例を示し、図１におけるＡ−Ａ線矢視図、図３は、本発明に係るエレベータ用ドア装置上端部分の一例を示し、図１におけるＢ−Ｂ線矢視図である。
【００２２】
また、図４は、両開きドアの本発明に係るエレベータ用ドア装置戸当たり部分の一例を示し、図１におけるＣ−Ｃ線矢視図であり、（Ａ）は扉が開いている状態、（Ｂ）は扉が閉まっている状態を示す。さらに、図５は、本発明に係るエレベータ用ドア装置ドア間口方向端部の一例を示し、図１におけるＤ−Ｄ線矢視図である。
【００２３】
図１に示す１０は周知のドアハンガー９に吊り下げられた本発明に係る乗場扉で、１０ａは敷居４の敷居溝に案内されるガイドシューで、乗場扉１０の底部に取付けられている。この乗場扉１０には、図示しないが周知の通り、錘若しくはバネによる戸閉力が常時付与される構造になっている。
【００２４】
図１における２は乗場出入口の左右に取付けられる出入口縦枠であり、３は乗場出入口の上部に取付けられる出入口上枠である。
【００２５】
図２に示すエレベータ用ドア装置下端部分において、ブラケットを介して保持材１０ｄが取付けられている。前記保持材１０ｄは例えばアルミニウムの押し出し材であり、押し出し方向に沿って溝が形成されている。前記溝は表面に露出している部分が狭く、内部が広い形状である。遮煙部材２０ａは一端に固定用の凸形状を持ち、他端がノの字形状の弾性体からなる遮煙材で、前記保持材１０ｄの前記溝に嵌入されており、ガイドシュー１０ａの取付部分以外の部分に設けられている。前記遮煙部材２０ａの前記固定用の凸形状は、前記保持材１０ｄの前記溝形状と同一の形状でやや小さく形成されており、前記保持材１０ｄの溝にスライドさせて嵌入される。この凸形状の先端は膨らんだ形状をしており、前記保持材１０ｄから脱落しないようになっている。前記遮煙部材２０ａの先端はノの字形状をしており、前記溝４ａの側壁部に接触して、乗場とエレベータ塔内との煙の行き来を遮断する。
【００２６】
図３に示すエレベータ用ドア装置上端部分において、乗場開閉装置１に保持材１０ｅを取付け、遮煙部材２０ａを嵌入している。前記遮煙部材２０ａの先端はノの字形状をしており、ドア１０に接触して、乗場とエレベータ塔内との煙の行き来を遮断する。
【００２７】
図４に示す両開きドアのエレベータ用ドア装置戸当たり部分において、片方の乗場扉１０の戸当たり端部に乗場扉上下方向全体に渡って保持材１０ｆを取付け、遮煙部材２０ｂを嵌入している。ここで図（Ａ）は前記乗場扉１０が開いている場合を示し、（Ｂ）は前記乗場扉１０が閉まっている状態を示す。前記遮煙部材２０ｂのノの字形状をした一端は前記乗場扉１０が閉まると、前記乗場扉１０と前記乗場扉１０の間に挟まれ、若しくは、他方の前記遮煙部材２０ｂの取付けられていない前記乗場扉１０に接触することにより、乗場とエレベータ塔内との煙の行き来を遮断する。
【００２８】
図５に示すエレベータ用ドア装置間口方向端部において、乗場扉１０の間口方向端部に乗場扉上下方向全体に渡って保持材１０ｇを取付け、遮煙部材２０ｂを嵌入している。前記遮煙部材２０ｂのノの字形状をした一端は前記乗場扉１０が閉まると、乗場縦枠２と接触し、乗場とエレベータ塔内との煙の行き来を遮断する。
【００２９】
ここで、図２、図３に示したエレベータ用ドア装置下端部分及びエレベータ用ドア装置上端部分に取付けられた前記遮煙部材２０ａは、乗場扉１０が開閉する度に、乗場敷居４ａもしくは乗場扉１０と摺動するため、摺動に対する耐久性が必要となる。
【００３０】
一方、図４および図５に示した両開きドアのエレベータ用ドア装置戸当たり部分およびエレベータ用ドア装置間口方向端部に取付けられた前記遮煙部材２０ｂは、前記乗場扉１０または乗場縦枠２に接触するのみで摺動しないため、前記遮煙部材２０ａほど摺動に対する耐久性は必要ない。
【実施例１】
【００３１】
例えば、摺動に対する耐久性が不要な場合の遮煙部材と保持材の固定部分形状例を図６に示した形状の組合わせとし、摺動に対する耐久性が必要な場合の遮煙部材と保持材の固定部分形状例を図７に示した形状の組合わせとする。
【００３２】
図６において保持材１０ｆの凹部断面形状は、首形状部１６の先端が膨らんだ円形状部１２で、前記円形状部１２の一部がＶ字形状凸部１３に突出しており、遮煙部材２０ｂの凸部断面形状は、首形状部１７の先端が膨らんだ円形状部１５で、前記円形状部１５の一部がＶ字形状凹部１４に凹んでおり、両者の断面形状は略同一のため、前記Ｖ字形状凸部１３およびＶ字形状凹部１４が干渉することなく嵌合可能である。
【００３３】
また、図７において保持材１０ｄの凹部断面形状は、首形状部１６の先端が膨らんだ円形状部１２で、前記円形状部１２の一部が１／４円形状凸部１８に突出しており、遮煙部材２０ａの凸部断面形状は、首形状部１７の先端が膨らんだ円形状部１５で、前記円形状部１５の一部が１／４円形状凹部１９に凹んでおり、両者の断面形状は略同一のため、前記１／４円形状凸部１８および１／４円形状凹部１９が干渉することなく嵌合可能である。
【００３４】
ここで、摺動に対する耐久性が不要な場合に摺動に対する耐久性が高い遮煙部材を使用しても問題にならないが、摺動に対する耐久性が必要な場合に摺動に対する耐久性が低い遮煙部材を使用することは早期劣化の原因となり問題である。
【００３５】
図８に示すように、摺動に対する耐久性が不要な部分に対して、図６に記載した前記保持材１０ｆに摺動に対する耐久性が高い図７記載の前記遮煙部材２０ａを誤って取り付けた場合、前記保持材１０ｆの前記Ｖ字形状凸部１３に突出した部分と、前記遮煙部材２０ａの前記１／４円形状凹部１９に凹んだ部分は干渉しないため嵌合可能である。
【００３６】
前記遮煙部材２０ａと前記保持材１０ｆの組合わせであれば、摺動に対する耐久性が不要な部分に摺動に対する耐久性が高い遮煙部材を使用することになるため、誤って取り付けられたとしても問題となることは無い。
【００３７】
一方、図９に示すように、摺動に対する耐久性が必要な部分に対して、図７に記載した前記保持材１０ｄに摺動に対する耐久性が低い図６記載の前記遮煙部材２０ｂを誤って取り付けようとした場合、前記保持材１０ｄの前記１／４円形状凸部１８に突出した部分と、前記遮煙部材２０ｂの前記Ｖ字形状凹部１４に凹んだ部分が干渉し、嵌合することができない。
【００３８】
このように、摺動に対する耐久性が必要な部分の保持材および遮煙部材の嵌合部形状と、摺動に対する耐久性が不要な部分の保持材および遮煙部材の嵌合部形状を、摺動に対する耐久性がある遮煙部材のみ、相互互換がある形状として、摺動に対する耐久性が必要な部分へ摺動に対する耐久性が低い遮煙部材を取り付けることを防止することができる。
【実施例２】
【００３９】
保持材および遮煙部材の嵌合部形状について別の実施例を示す。
【００４０】
摺動に対する耐久性が不要な場合の遮煙部材と保持材の固定部分形状例を図１０に示した形状の組合わせとし、摺動に対する耐久性が必要な場合の遮煙部材と保持材の固定部分形状例を図１１に示した形状の組合わせとする。
【００４１】
図１０において保持材１０ｊの凹部断面形状は、首形状部１６の先端が膨らんだ円形状部１２で、前記円形状部１２の近傍に溝２１が形成されており、遮煙部材２０ｄの凸部断面形状は、首形状部１７の先端が膨らんだ円形状部１５で、前記円形状部１５の近傍に突出部２２が形成されており、両者の断面形状は略同一のため、前記溝２１および突出部２２が干渉することなく嵌合可能である。
【００４２】
また、図１１において保持材１０ｈの凹部断面形状は、首形状部１６の先端が膨らんだ円形状部１２で、前記円形状部１２の近傍に溝２３が形成されており、遮煙部材２０ｃの凸部断面形状は、首形状部１７の先端が膨らんだ円形状部１５で、前記円形状部１５の近傍に突出部２４が形成されており、両者の断面形状は略同一のため、前記溝２３および突出部２４が干渉することなく嵌合可能である。
【００４３】
ここで、摺動に対する耐久性が不要な場合に摺動に対する耐久性が高い遮煙部材を使用しても問題にならないが、摺動に対する耐久性が必要な場合に摺動に対する耐久性が低い遮煙部材を使用することは早期劣化の原因となり問題である。
【００４４】
図１２に示すように、摺動に対する耐久性が不要な部分に対して、図１０に記載した前記保持材１０ｊに摺動に対する耐久性が高い図１１記載の前記遮煙部材２０ｃを誤って取り付けた場合、前記保持材１０ｊの溝２１は深く、前記遮煙部材２０ｃの突出部２４は低く、干渉しないため嵌合可能である。
【００４５】
前記遮煙部材２０ｃと前記保持材１０ｊの組合わせであれば、摺動に対する耐久性が不要な部分に摺動に対する耐久性が高い遮煙部材を使用することになるため、誤って取り付けられたとしても問題となることは無い。
【００４６】
一方、図１３に示すように、摺動に対する耐久性が必要な部分に対して、図１１に記載した前記保持材１０ｈに摺動に対する耐久性が低い図１０記載の前記遮煙部材２０ｄを誤って取り付けようとした場合、前記保持材１０ｈの溝２３は浅く、前記遮煙部材２０ｄの突出部２２高く、干渉するため嵌合することができない。
【００４７】
このように、摺動に対する耐久性が必要な部分の保持材および遮煙部材の嵌合部形状と、摺動に対する耐久性が不要な部分の保持材および遮煙部材の嵌合部形状を、摺動に対する耐久性がある遮煙部材のみ、相互互換がある形状として、摺動に対する耐久性が必要な部分へ摺動に対する耐久性が低い遮煙部材を取り付けることを防止することができる。
【実施例３】
【００４８】
図１４（Ａ）および（Ｂ）において、遮煙部材の取付に方向性があり、間違った方向に取り付けた場合、本来必要である遮煙性能が得られないという問題があった。
【００４９】
そこで、図１４の保持材および遮煙部材の嵌合部形状を図６または図７若しくは図１０または図１１に示した嵌合部形状の組合わせとする。
【００５０】
図６に示した嵌合部組合わせであれば、遮煙部材２０ｂを逆方向に取り付けた場合、保持材１０ｆのＶ字形状凸部１３に突出した部分と遮煙部材２０ｂのＶ字形状凹部１４に凹んだ部分の位置がずれて干渉し、嵌合することができない。
【００５１】
図７に示した嵌合部組合わせであれば、遮煙部材２０ａを逆方向に取り付けた場合、保持材１０ｄの１／４円形状凸部１８に突出した部分と遮煙部材２０ａの１／４円形状凹部１９に凹んだ部分の位置がずれて干渉し、嵌合することができない。
【００５２】
図１０に示した嵌合部組合わせであれば、遮煙部材２０ｄを逆方向に取り付けた場合、保持材１０ｊの溝２１と遮煙部材２０ｄの突出部２２の位置がずれて干渉し、嵌合することができない。
【００５３】
図１１に示した嵌合部組合わせであれば、遮煙部材２０ｃを逆方向に取り付けた場合、保持材１０ｈの溝２３と遮煙部材２０ｃの突出部２４の位置がずれて干渉し、嵌合することができない。
【００５４】
このように、遮煙部材の取付に方向性がある場合、嵌合部分の形状に方向性を持たせることにより、間違った方向に遮煙部材を取り付けられることを防止することができる。
【実施例４】
【００５５】
図１４（Ａ）および（Ｂ）において、遮煙部材の取付に方向性があり、間違った方向に取り付けた場合、本来必要である遮煙性能が得られないという問題があった。
【００５６】
そこで、図１７における保持材１０ｂの長手方向に垂直な面に、Ｖ溝または印刷などで目印２６を付しておき、遮煙部材１１ａを取り付ける際、前記目印２６を基に遮煙部材１１ａの取付方向性を確認することにより、間違った方向に前記遮煙部材１１ａが取り付けられることを防ぐことができる。
【００５７】
実施例１および２に保持材および遮煙部材の嵌合部形状を記載したが、もちろん摺動に対する耐久性が必要な部分の保持材および遮煙部材の嵌合部形状と、摺動に対する耐久性が不要な部分の保持材および遮煙部材の嵌合部形状のうち、摺動に対する耐久性がある遮煙部材のみ、相互互換がある形状であれば、前記実施例以外の嵌合部形状であっても良い。
【００５８】
実施例１および２における摺動性に対する耐久性が高い遮煙部材の例は遮煙部材に摺動に対する耐久性を向上させる薬剤をコーティングしたものや、摺動に対する耐久性の高い素材を使用したものであるが、その他の方法により、摺動に対する耐久性を向上させた遮煙部材であっても良い。
【００５９】
また、実施例３に保持材および遮煙部材の嵌合部形状を記載したが、もちろん遮煙部材に取付けの方向性がある場合、決まった方向にのみ嵌合可能な形状であれば、前記実施例以外の嵌合部形状であっても良い。
【００６０】
実施例４における目印２６はＶ溝加工の他、印刷等であっても良い。
【００６１】
実施例４における目印２６は図１８に示した目印２９のように、保持材１０ｂが押し出し材の場合、シェープ断面に凹形状を設けて目印としても良い。
【００６２】
前記目印２９は凸形状としても良い。
【００６３】
実施例３および４における遮煙部材の取付けの方向性は例えば、前記遮煙部材と前記乗場扉の上部と側部と底部或いは前記乗場扉の上部と側部と底部に対向する対向部材が接する面のみに摺動に対する耐久性を向上させる薬剤をコーティングされた前記遮煙部材を使用する場合である。
【００６４】
実施例３および４における遮煙部材の取付けの方向性の別の例として、前記遮煙部材と前記乗場扉の上部と側部と底部或いは前記乗場扉の上部と側部と底部に対向する対向部材が接する面のみに摺動に対する耐久性が高い素材を一体に形成され、もしくは組合わされた前記遮煙部材を使用する場合である
【００６５】
各実施例は両開き扉について説明したが、片開き扉についても同様に適用可能である。
【００６６】
本発明はエレベータ以外の遮煙性能を必要とする扉装置に適用することができる。
【００６７】
前記各保持材は樹脂の射出成形品や樹脂の押し出し材であっても良い。
【符号の説明】
【００６８】
１          乗場開閉装置
２          出入口縦枠
３          出入口上枠
４          敷居
４ａ        敷居溝
９          ドアハンガー
１０        乗場扉
１０ａ      ガイドシュー
１０ｂ〜１０ｋ  保持材
１２、１５  円形状部
１３  Ｖ字形状凸部
１４  Ｖ字形状凹部
１６，１７  首形状部
１８  １／４円形状凸部
１９  １／４円形状凹部
１１、１１ａ、２０、２０ａ〜２０ｄ、２７  遮煙部材
２１、２３  溝
２２、２４  突出部
２５        当て板
２６        目印（Ｖ溝）
２８        戸当たりゴム
２９        目印（シェープ断面凹形状）
【図１】
0005678557.tif 000002
【図２】
0005678557.tif 000003
【図３】
0005678557.tif 000004
【図４】
0005678557.tif 000005
【図５】
0005678557.tif 000006
【図６】
0005678557.tif 000007
【図７】
0005678557.tif 000008
【図８】
0005678557.tif 000009
【図９】
0005678557.tif 000010
【図１０】
0005678557.tif 000011
【図１１】
0005678557.tif 000012
【図１２】
0005678557.tif 000013
【図１３】
0005678557.tif 000014
【図１４】
0005678557.tif 000015
【図１５】
0005678557.tif 000016
【図１６】
0005678557.tif 000017
【図１７】
0005678557.tif 000018
【図１８】
0005678557.tif 000019